(57)【要約】【課題】本発明の室内ユニットに内蔵された開閉装置でパネルの開度を変化させる制御は、室内ユニットの酸素発生装置から酸素音が発生した場合に酸素音を小さくすること。【解決手段】室内ユニット内に前面パネルを前後に開閉する開閉装置を設けた室内ユニットにおいて、室内ユニットに取り付けられた酸素発生装置が運転した場合に、前面パネルの開度を変化させる制御は、前面パネルの開度を小さくするもので、この構成をなすことにより、パネル自身が酸素発生音を遮断し、あるいは酸素発生音を室内ユニット内におさめることにより騒音を低減させることができる。【選択図】図２
2006258374.tif 000002
【特許請求の範囲】
【請求項１】
熱交換器と、ファンと、吹出グリルと、空気通路の吸込口に開閉自在の前面パネルを設けた室内ユニットを備え、前記室内ユニットに酸素を発生させ室内側に吐出させる酸素発生装置を設けた空気調和装置において、酸素発生装置の運転時にパネルの開度を変化させて、前記酸素発生装置から生じる酸素発生音を低減することを特徴とする空気調和装置。
【請求項２】
酸素発生装置の運転時にパネル開度を小さくすることを特徴とする、請求項１に記載の空気調和装置。
【請求項３】
酸素発生装置は容量可変であって、前記容量の大小に応じてパネル開度を変化させることを特徴とする請求項１に記載の空気調和装置。
【請求項４】
酸素発生装置の容量が大きい時はパネル開度を小さくし、前記酸素発生装置の容量が小さい時はパネル開度を大きくすることを特徴とする、請求項１または３に記載の空気調和装置。
【発明の詳細な説明】
【技術分野】
【０００１】
本発明は室内機の吸込口に開閉自在の前面パネルを設け、かつ酸素発生装置を搭載し室内側に酸素を吐出する空気調和装置であって、酸素発生時に前記前面パネルの開閉を行うことによって、酸素発生による室内ユニットの騒音を低減する空気調和装置に関するものである。
【背景技術】
【０００２】
従来、この種の空気調和装置は、室内ユニットの下部に吹出しグリルを設け、吹出グリルの上部に空気吸込口を開閉する前面パネルを設け、室内ユニットに内蔵された開閉装置で前面パネルを前後に開閉する構成を持っていた。
【０００３】
図１は、室内ユニット１と室外ユニット２で構成されたセパレート型空気調和装置ならびに、図２は、その室内ユニット１の前面パネル開閉装置などを含めた側面図である。
【０００４】
この室内ユニット１内部には、空気を吸い込むために開閉装置６を使用してパネル７を開けて、熱交換器３により吸い込んだ空気と熱交換器３中の流体を熱交換し、熱交換された空気を吹出口４から排出するファン５などからなる。室内ユニット１内部では、吸い込む空気をきれいにするために熱交換器３の吸い込み側にフィルタ８が設置されている。そして、熱交換器３には、酸素を発生する酸素発生装置９が設置されている。
【０００５】
以上のように空気調和装置の室内ユニット１に構成されたパネル７の開閉装置６について、以下その動作、作用を説明する。
【０００６】
室内ユニット１のパネル７は、空気調和装置の室内ユニット１が運転する場合、開閉装置６により開かれ、その後室内ユニット１付近の空気を吸引してフィルタ８、そして熱交換器３を通過し、吹出口４からファン５により排出される。
【０００７】
そして、近年意匠性の高い室内ユニットを実現する為に、室内ユニット１のパネル７は、運転時は開き、運転停止時に閉じるようになっている（例えば、特許文献１参照）。
【特許文献１】特開２００３−７４８９６号公報
【発明の開示】
【発明が解決しようとする課題】
【０００８】
しかしながら、前記従来の構成による室内ユニット内に酸素発生装置を内蔵された開閉装置で前面パネルを前後に開閉する室内ユニットは、前記酸素発生装置から運転時に酸素発生音が発生し、酸素発生音を低減しなければいけないという課題を有していた。
【０００９】
本発明は、前記従来の課題を解決するもので、開閉装置で前面パネルを前後に開閉する室内ユニットにおいて騒音を低減することを目的とする。
【課題を解決するための手段】
【００１０】
前記従来の課題を解決するために、本発明の前面パネルを前後に開閉する機能を設けた室内ユニットにおいて、室内ユニットに設けられた酸素発生装置を運転する場合にパネルの開度を変化させる制御である。
【００１１】
これによって、酸素発生装置から発生する酸素音が、パネルの開度を小さくすることにより酸素発生による音を低減することができるものである。
【発明の効果】
【００１２】
本発明の室内ユニットに内蔵された開閉装置でパネルの開度を変化させる制御は、室内ユニットの酸素発生装置から酸素音が発生した場合に酸素音を小さくすることができる。
【発明を実施するための最良の形態】
【００１３】
第１の発明は室内ユニット内に前面パネルを前後に開閉する開閉装置を設けた室内ユニットにおいて、室内ユニットに取り付けられた酸素発生装置が運転した場合に、前面パネルの開度を変化させる制御は、前面パネルの開度を小さくするもので、この構成をなすことにより、パネル自身が酸素発生音を遮断し、あるいは酸素発生音を室内ユニット内におさめることにより騒音を低減させることができる。
【００１４】
第２の発明は、特に第１の発明の酸素発生装置の運転時にパネル開度を小さくするもので、この構成をなすことにより、酸素吐出時以外は熱交換器により多くの空気を通過させることができ、酸素吐出時に騒音が発生するときにのみ騒音を抑える動きをすることができる。
【００１５】
第３の発明は特に第１の発明の酸素発生装置は容量可変であって、前記容量の大小に応じてパネル開度を変化させるもので、この構成をなすことにより、酸素吐出量が大きく騒音値が大きくなるときに、より騒音を抑える動きをし、酸素吐出量が小さく騒音が小さいときには騒音を抑える動きを少なくし、できるだけ送風性能を毀損することなく騒音を抑えることができる。
【００１６】
第４の発明は、特に第１または第３の発明の酸素発生装置の容量が大きい時はパネル開度を小さくし、前記酸素発生装置の容量が小さい時はパネル開度を大きくするもので、この構成をなすことにより、酸素吐出量が大きく騒音値が大きくなるときに、より騒音を抑える動きをし、酸素吐出量が小さく騒音が小さいときには騒音を抑える動きを少なくし、できるだけ送風性能を毀損することなく騒音を抑えることができる。
【００１７】
以下、本発明の実施の形態について図面を参照しながら説明する。なお、この実施の形態により本発明が限定されるものではない。
【００１８】
（実施の形態１）
図１は本発明の実施の形態の空気調和機の構成図である。同図に示すように、室内ユニット１と室外ユニット２が配管で接続され、室外機の中には酸素発生装置１０が配設されている。
【００１９】
酸素発生装置１０で発生された酸素は前記配管を通じて室内ユニット1に送られ、室内ユニット１から室内空間に放出される。
【００２０】
図２は、本発明の第１の実施の形態における室内ユニットの構成を示すものである。
【００２１】
同図に示すように、室内ユニット１が運転する場合は、パネルをＤ方向にパネル７を開き、その後ファンを運転させる。
【００２２】
空気は、ファン５の回転により、Ａのように吸い込み口から吸入され、フィルタ８および熱交換器３を通過し、吹出口４からＢのように吹き出される。
【００２３】
また、室内ユニット１の前面には酸素発生装置１０から送気管（図示せず）を通って送られてくる酸素が吐出する酸素吐出口９が、取り付けられている。
【００２４】
また、図３において、第１の実施の形態の制御図である。
【００２５】
酸素発生装置１０が運転した場合は、酸素吐出により発生する騒音を低減させるためにパネルをＣ方向に閉じるように制御し、一方酸素発生装置１０が停止した場合は、酸素吐出により発生する騒音は発生しないので、できるだけ多くの空気を吸い込み熱交換させるためにパネルをＤ方向に開くように制御する。
【００２６】
つまり、酸素吐出口９から使用者へ向けて空気中を伝達する騒音をパネル７により遮断あるいは室内ユニット１内に閉じ込めて、酸素発生音を低減するものである。
【００２７】
（実施の形態２）
図４は本発明の第２の実施の形態における制御図である。
【００２８】
この実施の形態は、前記構成において酸素発生装置１０の運転容量の強弱によって、パネル７の開度を制御するものである。
【００２９】
この構成をなすことにより、酸素発生装置１０が強運転した場合は、酸素吐出により発生する騒音が大きくなりこれを低減させるためにパネルをＣ方向に閉じるように制御し、一方酸素発生装置１０が弱運転した場合は、酸素吐出により発生する騒音は小さいので、できるだけ多くの空気を吸い込み熱交換させるためにパネルをＤ方向に開くように制御する。
【産業上の利用可能性】
【００３０】
以上のように、本発明にかかるパネル開度運転の制御は、酸素装置運転時に騒音を低減することが可能となり、空気調和装置以外の酸素発生装置を搭載したパネル開閉機構つきの装置等にも適用できる。
【図面の簡単な説明】
【００３１】
【図１】本発明の実施の形態および従来の空気調和装置図
【図２】本発明の実施の形態１および従来の室内ユニット図
【図３】本発明の実施の形態１における酸素発生装置の運転時のパネル運転制御図
【図４】本発明の実施の形態２における酸素発生装置の運転時のパネル運転制御図
【符号の説明】
【００３２】
１  室内ユニット
２  室外ユニット
３  熱交換器
４  吹出口
５  ファン
６  開閉装置
７  パネル
８  フィルタ
９  酸素吐出口
１０  酸素発生装置
【図１】
2006258374.tif 000003
【図２】
2006258374.tif 000004
【図３】
2006258374.tif 000005
【図４】
2006258374.tif 000006